(57)【特許請求の範囲】
【請求項１】
Ｘ軸と平行となるように一対の電極を対向配設してなる第一の抵抗膜と、Ｙ軸と平行となるように一対の電極を対向配設してなる第二の抵抗膜とをスペーサを挟んで張り合わせた抵抗膜式タッチパネルの押下位置座標を検出するタッチパネル装置において、
押下位置の各軸座標を検出する際、一方の抵抗膜の電極間に一定電圧を加え、かつ、他方の抵抗膜の電極端子を開放すると共に、該他方の抵抗膜の一つの電極端子を座標検出端子とし、この端子を抵抗を介してプルアップ、プルダウンする状態設定部、
プルアップ時とプルダウン時の前記座標検出端子の出力電圧を読み取り、その差が設定値より小さければ該出力電圧に基づいて座標を検出し、大きければ座標検出不可とする座標検出部、
を備えたことを特徴とするタッチパネル装置。
【請求項２】
プルアップ時とプルダウン時の前記座標検出端子の出力電圧を読み取り、その差が設定値より小さければ前記プルアップ時の出力電圧と、前記プルダウン時の出力電圧との平均電圧に基づいて、押下位置の座標を検出することを特徴とする請求項１記載のタッチパネル装置。
【発明の詳細な説明】
【０００１】
【発明が属する技術分野】
本発明はタッチパネル装置に関し、特に、抵抗膜式の場合に使用して好適なタッチパネル装置に関する。
【０００２】
【従来の技術】
近年、表示装置（例えば、液晶表示装置）に重ねて使用する入力装置としてタッチパネル装置が普及している。タッチパネル装置は、表示装置に表示する画像を変えることで、各種の操作ボタンなどを表示することができるため、例えば、車載用オーディオ装置では、ＣＤプレーヤやＣＤチェンジャ、ＭＤプレーヤ等の複数の装置を一元的に操作するための入力装置として使用されている。そして、このタッチパネル装置には、抵抗膜式のタッチパネルを用いたタッチパネル装置がある。
【０００３】
先ず、抵抗膜式のタッチパネル（以下、単にタッチパネルと略す）の構成及び動作原理を説明する。タッチパネルは、図５に示すように、一方の面にそれぞれ電極４１、４２を配設した抵抗膜４３、４４と、スペーサ４５とからなり、抵抗膜４３、４４の他方の面同士でスペーサ４５を挟んで張り合わせた構成となっている。抵抗膜４３の一方の面に配設された電極４１は、図６に示すように、一対の電極４１ａ、４１ｂからなり、Ｘ軸と平行となるように対向して配設される。各電極４１ａ、４１ｂは、それぞれパネル端子Ｕ、Ｄ（以下、それぞれＵ端子、及びＤ端子という）に接続される。同様に、抵抗膜４４の一方の面に配設された電極４２は、一対の電極４２ａ、４２ｂからなり、Ｙ軸と平行になるように対向して配設される。各電極４２ａ、４２ｂはそれぞれパネル端子Ｒ、Ｌ（以下、それぞれＲ端子及びＬ端子という）に接続される。そして、使用者が抵抗膜４３の他方の面を指やペン等で押下すると、抵抗膜４３、４４の他方の面同士が接触する。
【０００４】
タッチパネルから押下点のＸ座標を読むときには、Ｒ端子に５Ｖの電圧を印加し、Ｌ端子を接地し、Ｕ端子及びＤ端子を開放する。そして、Ｄ端子にＡ／Ｄコンバータ（図示せず）を接続して、Ｄ端子での電圧をＡ／Ｄ変換することで、Ｘ座標のデータを読むことができる。同様に、Ｙ座標を読むときには、Ｕ端子に５Ｖの電圧を印加し、Ｄ端子を接地し、Ｒ端子及びＬ端子を開放する。そして、Ｌ端子にＡ／Ｄコンバータを接続して、Ｌ端子での電圧をＡ／Ｄ変換することで、Ｙ座標を読むことができる。
【０００５】
ここで、図７に示すように、タッチパネル上の点Ａ（ｘ１，ｙ１）を指やペン等で押下したとすると、タッチパネルの電気的な部分に着目すれば、タッチパネルは、図８に示すように模式化することができる。尚、Ｘ、ＹはそれぞれタッチパネルのＸ軸、Ｙ軸方向の長さ、ｘ１、ｙ１はそれぞれ押下点の座標を示している。また、図８において、５１は押下点Ａ、５２は押下点ＡとＵ端子との間の抵抗膜の抵抗Ｒ1、５３は押下点ＡとＤ端子との間の抵抗膜の抵抗Ｒ2をそれぞれ示している。ここで、Ｕ端子に５Ｖの電圧を印加し、Ｄ端子を接地したときのＬ端子の電圧をＶLとすると、Ｌ端子の電圧ＶLは以下の式で表すことができる。
ＶL＝Ｒ2Ｖ0／（Ｒ1＋Ｒ2）＝Ｒ2Ｖ0／Ｒud・・・（１）
（Ｒud：Ｕ端子とＤ端子との間の抵抗膜の抵抗）
ここで、抵抗膜の抵抗が一様であるとすると、
Ｒ2／Ｒud＝ｙ1／Ｙ・・・（２）
となるので、（１）式のＶLは、押下点ＡのＹ軸方向の座標を表すことができる。すなわち、上記（１）式に（２）式を代入すると、
ｙ1＝Ｙ・ＶL／Ｖ0・・・（３）
となる。
【０００６】
同様に、Ｘ座標を求めるときには、Ｒ端子に５Ｖの電圧を印加し、Ｌ端子を接地したときのＤ端子の電圧をＶDとすれば、ＶDは、
ｘ１＝Ｘ・ＶD／Ｖ0
となり、Ｘ軸方向の座標を表すことができる。
【０００７】
図９は、抵抗膜式のタッチパネルを備える従来のタッチパネル装置の構成図である。この図９において、７１はタッチパネル、７２は電極状態設定部、７３はマイコン部、７４はプルダウン部をそれぞれ示している。
【０００８】
電極状態設定部７２はタッチパネル７１の各パネル端子Ｕ、Ｄ、Ｒ、Ｌの状態を制御するためのもので、トランジスタ７２ａ〜７２ｅを有している。そして、電極状態設定部７２には、外部から端子７５を介して５Ｖの電圧が印加されるとともに、マイコン部７３から所定の制御電圧が印加される。
【０００９】
マイコン部７３は、電極状態設定部７２を制御して押下点の座標を検出するためのもので、ＳＥＬ１〜ＳＥＬ３端子、Ｘ端子及びＹ端子を備えている。そして、特に図示はしないが、マイコン部７３は、Ａ／Ｄコンバータを有しており、Ｘ端子及びＹ端子に接続されている。プルダウン部７４は、タッチパネル７１のパネル端子のうち、座標を検出する端子（以下、座標検出端子という）をプルダウンするためのもので、２つの抵抗を有している。
【００１０】
そして、マイコン部７３は、押下点の座標を検出する時には、ＳＥＬ１〜ＳＥＬ３から電極状態設定部７２に加える制御電圧を、図１０の表に示すように、変化させる。例えば、Ｘ座標を検出するときには、ＳＥＬ２から５Ｖ（Ｈ）を印加し、ＳＥＬ１及びＳＥＬ３を０Ｖ（Ｌ）にする。すると、タッチパネル７１のＵ、Ｄ端子は開放状態となり、Ｒ端子は５Ｖ、Ｌ端子は接地される。そして、マイコン部７３は、Ｘ端子において検出される電圧から、押下点のＸ座標を検出する。
【００１１】
同様に、Ｙ座標を検出するときには、マイコン部７３はＳＥＬ１及びＳＥＬ３から５Ｖ（Ｈ）の電圧を印加し、ＳＥＬ２を０Ｖ（Ｌ）にする。すると、タッチパネル７１のＲ、Ｌ端子は開放状態となり、Ｕ端子には５Ｖの電圧が印加され、Ｄ端子は接地される。そして、マイコン部７３は、Ｙ端子において検出される電圧から、押下点のＹ座標を検出する。
【００１２】
そして、マイコン部７３は検出した押下点の座標が含まれるエリアに関連づけられている所定の制御信号を、このマイコン部７３に接続された各種装置（図示せず）に出力して、接続された各種装置を制御するようになっている。
【００１３】
【発明が解決しようとする課題】
ところで、タッチパネルは、その構造上、指やペンで押下する接触圧力によって、上面の電極と下面の電極との接触面が極端に小さくなることがある。例えば、押下する接触圧力が大きい時には、図１１（ａ）に示すように、接触面が広くなって、接触抵抗は小さくなる。また、押下する接触圧力が小さいときには、図１１（ｂ）に示すように、接触面積が小さくなり、接触抵抗が大きくなる。
【００１４】
図１２は、タッチパネルを押下したときの等価回路図を示している。同図中、７６及び７７は押下点と電極との間の抵抗膜の抵抗Ｒ1及びＲ2、７８は接触抵抗Ｒ3、７９はプルダウン部７４の抵抗、８０は電圧供給端子、８１はＡ／Ｄポートをそれぞれ示している。尚、Ｒ1＋Ｒ2は数百Ω、Ｒ3は接触抵抗が大きいときは数百Ω、Ｒ4は数十ｋΩである。
【００１５】
接触圧力が大きい場合において、電圧供給端子８０に電圧Ｖ0を印加し、Ａ／Ｄポート８１にＡ／Ｄコンバータ（図示せず）を接続して、押下点の座標を検出するとすると、Ａ／Ｄポート８１への電圧Ｖ1は、
Ｖ1＝Ｒ2Ｒ4Ｖ0／（（Ｒ1＋Ｒ2）Ｒ3＋Ｒ1Ｒ2＋（Ｒ1＋Ｒ2）Ｒ4）・・（４）
で表される。ここで、Ｒ1〜Ｒ3に対して、Ｒ4は非常に大きいので、Ｒ3は無視できる。従って、（４）式は、
Ｖ1＝Ｒ2Ｖ0／（Ｒ1＋Ｒ2）・・・（５）
となる。
【００１６】
ここで、タッチパネル７１を押下したときの接触圧力が小さくなって、接触抵抗が大きくなったとき、すわなち、接触面積が小さいときには、Ｒ3項が無視できなくなる。この接触面積が小さいときのＡ／Ｄポート８１への電圧Ｖ1’は、（４）式から、
Ｖ1’＝Ｒ2Ｒ4Ｖ0／（（Ｒ1＋Ｒ2）（Ｒ3＋Ｒ4））・・・（６）
となる。
【００１７】
従って、（４）式と（６）式とから、Ｖ1＞Ｖ1’となることが分かる。つまり、接触面積が小さいときには、Ａ／Ｄポート８１への電圧が接触面積が大きい場合に比べて、低い電圧となってしまう。
【００１８】
以上のように、タッチパネル７１への接触面積が小さいときには、検出される座標に誤差が生じてしまうことになり、その結果、正しい押下点の座標を検出できない。このため、他の場所を押下したと誤認されてしまい、誤動作を起こすという問題があった。
【００１９】
本発明は、この問題を解決するためになされたもので、その目的は、タッチパネルへの接触面積が小さいときにも誤動作を起こさない、すなわち、接触抵抗の影響を受けないタッチパネル装置を提供することである。
【００２０】
【課題を解決するための手段】
本発明は、Ｘ軸と平行となるように一対の電極を対向配設してなる第一の抵抗膜と、Ｙ軸と平行となるように一対の電極を対向配設してなる第二の抵抗膜とをスペーサを挟んで張り合わせた抵抗膜式タッチパネルの押下位置座標を検出するタッチパネル装置である。タッチパネル装置において、状態設定部は、押下位置の各軸座標を検出する際、一方の抵抗膜の電極間に一定電圧を加え、かつ、他方の抵抗膜の電極端子を開放すると共に、該他方の抵抗膜の一つの電極端子を座標検出端子とし、この端子を抵抗を介してプルアップ、プルダウンする。座標検出部は、プルアップ時とプルダウン時の前記座標検出端子の出力電圧を読み取り、その差が設定値より小さければ該出力電圧に基づいて座標を検出し、大きければ座標検出不可とする。このようにすれば、正しく押下して接触面積が大きいときのみ座標を検出し、接触面積が小さいときには座標検出をしないから、誤った座標検出をして誤作動を起こすことはない。
【００２１】
また、座標検出部では、プルアップ時とプルダウン時の前記座標検出端子の出力電圧を読み取り、その差が設定値より小さければ前記プルアップ時の出力電圧と、前記プルダウン時の出力電圧との平均電圧に基づいて、押下位置の座標を検出する。このようにすれば、接触面積が大きいときには、正しく押下位置の座標を検出することができる。
【００２２】
【発明の実施の形態】
（Ａ）本発明の概略
本発明の概略を図１に従って説明する。図１（ａ）は、タッチパネルを押下したときのプルダウン状態の等価回路を示している。同図中、１１及び１２は押下点と電極との間の抵抗膜の抵抗Ｒ1及びＲ2、１３は接触抵抗Ｒ3、１４はプルダウン／プルアップ抵抗、１５は電圧供給端子、１６はＡ／Ｄポートをそれぞれ示している。尚、Ｒ1＋Ｒ2は数百Ω、Ｒ3は接触抵抗が大きいときは数百Ω、Ｒ4は数十ｋΩである。。
【００２３】
電圧供給端子１５に電圧Ｖ0を印加し、Ａ／Ｄポート１６にＡ／Ｄコンバータ（図示せず）を接続して、押下点の座標を検出するとすると、Ａ／Ｄポート１６への電圧Ｖ1は、
Ｖ1＝Ｒ2Ｒ4Ｖ0／（（Ｒ1＋Ｒ2）Ｒ3＋Ｒ1Ｒ2＋（Ｒ1＋Ｒ2）Ｒ4）・・（７）
で表される。ここで、Ｒ1〜Ｒ3に対して、Ｒ4は非常に大きいので、Ｒ3及びＲ1Ｒ2は無視できる。従って、（７）式は、
Ｖ1＝Ｒ2／Ｖ0（Ｒ1＋Ｒ2）・・・（８）
となる。
【００２４】
ここで、接触抵抗が大きいとき、すわなち、接触面積が小さいときには、Ｒ3項が無視できなくなる。この接触面積が小さいときのＡ／Ｄポート１６への電圧Ｖ1’は、（７）式から、
Ｖ1’＝Ｒ2Ｒ4Ｖ0／（（Ｒ1＋Ｒ2）（Ｒ3＋Ｒ4））・・・（９）
となる。
【００２５】
従って、（７）式と（９）式とから、Ｖ1＞Ｖ1’となることが分かる。つまり、接触面積が小さいときには、Ａ／Ｄポート１６への電圧が接触面積が大きい場合に比べて、低い電圧となる。
【００２６】
図１（ｂ）は、プルアップ状態の等価回路を示している。電圧供給端子１５に電圧Ｖ0を印加し、Ａ／Ｄポート１６にＡ／Ｄコンバータを接続して、押下点の座標を検出するとすると、Ａ／Ｄポート１６への電圧Ｖ2は、
Ｖ2＝Ｖ0−（Ｒ1Ｒ4Ｖ0／（（Ｒ1＋Ｒ2）Ｒ3＋Ｒ1Ｒ2＋（Ｒ1＋Ｒ2）Ｒ4））・・・（１０）
で表される。ここで、Ｒ1〜Ｒ3に対して、Ｒ4は非常に大きいので、Ｒ3及びＲ1Ｒ2は無視できる。従って、（１０）式は、
Ｖ2＝Ｖ0−（Ｒ1Ｖ0／（Ｒ1＋Ｒ2））＝Ｒ2Ｖ0／（Ｒ1＋Ｒ2）・・・（１１）
となり、プルダウン時の電圧値を示す（８）式と同じになる。
【００２７】
ここで、接触抵抗が大きいとき、すわなち、接触面積が小さいときには、Ｒ3項が無視できなくなる。この接触面積が小さいときのＡ／Ｄポート１６への電圧Ｖ2’は、（１０）式から、
Ｖ2’＝Ｖ0−（Ｒ1Ｒ4Ｖ0／（（Ｒ1＋Ｒ2）（Ｒ3＋Ｒ4）））・・・（１２）
となる。
【００２８】
従って、（１０）式と（１２）式とから、Ｖ2’＞Ｖ2となることが分かる。つまり、接触面積が小さいときには、Ａ／Ｄポート１６への電圧が接触面積が大きい場合に比べて、高い電圧となる。
【００２９】
図１（ｃ）は、接触抵抗Ｒ3が小さいときのプルダウン状態及びプルアップ状態の時の出力電圧を図示したものであり、図１（ｄ）は、接触抵抗Ｒ3が大きいときのプルダウン状態及びプルアップ状態の時の出力電圧を図示したものである。両図が示すように、接触抵抗Ｒ3が少ないときには、Ｖ1、Ｖ2共に真値に近くなり、接触抵抗が大きいときには、出力電圧Ｖ1’、Ｖ2’が真値との間に大きい誤差が生じることが分かる。
【００３０】
そこで、本発明は、図１（ｅ）に示すように、プルダウン時及びプルアップ時の出力電圧を検出し、これらの差を算出する。そして、その差が予め定めた設定値よりも小さければ出力電圧に基づいて座標を検出し、この出力電圧の差が設定値よりも大きいときは座標検出不可とする座標検出部を備えた。このようにすることで、誤差の大きいときには、その値を用いないようにしている。
【００３１】
また、本発明では、さらに、プルアップ時とプルダウン時の座標検出端子の出力電圧の差が予め定めた設定値よりも小さいときには、プルアップ時の出力電圧と、プルダウン時の出力電圧との平均電圧を算出し、これに基づいて、押下位置の座標を検出する。このようにすることで、検出した出力電圧の平均値を用いるため、より接触抵抗の影響を受けないタッチパネルを提供することができる。
【００３２】
（Ｂ）実施例
図２は、本発明のタッチパネル装置の構成図である。この図２において、２１はタッチパネル、２２は電極状態設定部、２３はマイコン構成の座標検出部、２４はプルダウン／プルアップ状態設定部をそれぞれ示している。
【００３３】
電極状態設定部２２はタッチパネルの各パネル端子Ｕ、Ｄ、Ｒ、Ｌの状態を制御するためのものでトランジスタ２２ａ〜２２ｅを有している。そして、電極状態設定部２２には、外部から端子２５を介して５Ｖの電圧が印加されるとともに、座標検出部２３から所定の制御電圧が印加される。
【００３４】
座標検出部２３は、電極状態設定部２２を制御して押下点の座標を検出するためのもので、ＳＥＬ１〜ＳＥＬ４端子、Ｘ端子及びＹ端子を備えている。そして、特に図示はしないが、座標検出部２３は、Ａ／Ｄコンバータと、記憶部とを有している。Ａ／Ｄコンバータは、Ｘ端子及びＹ端子に接続されている。記憶部は、プルダウンまたはプルアップした時の出力電圧の差を比較するため設定値が記憶されている。プルダウン／プルアップ状態設定部２４は、タッチパネル２１のパネル端子のうち、座標を検出する端子（以下、座標検出端子という）をプルダウンまたはプルアップするためのもので、２つのプルダウン／プルアップ抵抗を有している。
【００３５】
座標検出部２３は、押下点の座標を検出する時には、ＳＥＬ１〜ＳＥＬ４から電極状態設定部２２に加える制御電圧を、図３の表に示すように変化させる。ここで、座標検出部２３は、押下点のＸ座標を検出するとき、座標検出端子Ｘがプルダウン及びプルアップするように、制御電圧を変化させる。例えば、座標検出端子ＸをプルダウンさせてＸ座標を検出するとき、座標検出部２３は、ＳＥＬ２から５Ｖ（Ｈ）を印加し、ＳＥＬ１、ＳＥＬ３及びＳＥＬ４を０Ｖ（Ｌ）にする。すると、タッチパネル２１のＵ、Ｄ端子は開放状態となり、Ｒ端子は５Ｖ、Ｌ端子は接地され、座標検出端子Ｘはプルダウンされる。また、座標検出端子ＸをプルアップさせてＸ座標を検出するとき、座標検出部２３は、ＳＥＬ２及びＳＥＬ４から５Ｖを印加し、ＳＥＬ１及びＳＥＬ３を０Ｖにする。すると、タッチパネル２１のＵ、Ｄ端子は開放状態となり、Ｒ端子は５Ｖ、Ｌ端子は接地され、座標検出端子Ｘはプルアップされる。そして、座標検出部２３は、Ｘ端子において検出される電圧から、押下点のＸ座標を検出する。
【００３６】
同様に、座標検出部２３は、押下点のＹ座標を検出するときには、座標検出端子Ｙがプルダウン及びプルアップするように、電極状態設定部２２に加える制御電圧を変化させる。ここで、座標検出端子ＹをプルダウンさせてＹ座標を検出するとき、座標検出部２３は、ＳＥＬ１及びＳＥＬ３から５Ｖを印加し、ＳＥＬ２及びＳＥＬ４を０Ｖにする。すると、タッチパネル２１のＲ、Ｌ端子は開放状態となり、Ｕ端子には５Ｖの電圧が印加され、Ｄ端子は接地され、座標検出端子Ｙはプルダウンされる。また、座標検出端子ＹをプルアップさせてＹ座標を検出するとき、座標検出部２３は、ＳＥＬ１、ＳＥＬ３及びＳＥＬ４から５Ｖを印加し、ＳＥＬ２を０Ｖにする。すると、タッチパネル２１のＲ、Ｌ端子は開放状態となり、Ｕ端子には５Ｖの電圧が印加され、Ｄ端子は接地され、座標検出端子Ｙはプルアップされる。そして、座標検出部２３は、Ｙ端子において検出される電圧から、押下点のＹ座標を検出する。
【００３７】
押下点のＸ、Ｙ座標が求まれば、座標検出部２３は検出した押下点の座標が含まれるエリアに関連づけられている所定の制御信号を、この座標検出部２３に接続された各種装置（図示せず）に出力して、接続された各種装置を制御する。
【００３８】
（Ｃ）処理
本発明のタッチパネル装置の動作について、図４のフローチャートに従って説明する。まず、使用者がタッチパネルを指やペンで押下したときには、座標検出部２３は、座標検出端子Ｘがプルダウンするように、電極状態設定部２２に制御電圧を印加して、プルダウンしたときの出力電圧（以下、Ｘプルダウン値という）を検出する（ステップ１０１）。次いで、座標検出部２３は、座標検出端子Ｘがプルアップするように、電極状態設定部２２に制御電圧を印加して、プルアップしたときの出力電圧（以下、Ｘプルダウン値という）を検出する（ステップ１０２）。
【００３９】
次いで、座標検出部２３は、座標検出端子Ｙがプルダウンするように、電極状態設定部２２に制御電圧を印加して、プルダウンしたときの出力電圧（以下、Ｙプルダウン値という）を検出する（ステップ１０３）。そして、座標検出部２３は、座標検出端子Ｙがプルアップするように、電極状態設定部２２に制御電圧を印加して、プルアップしたときの出力電圧（以下、Ｙプルアップ値という）を検出する（ステップ１０４）。
【００４０】
その後、座標検出部２３は、Ｘプルダウン値とＸプルアップ値の差と、Ｙプルダウン値とＹプルアップ値の電圧の差ΔＸ、ΔＹとを算出する（ステップ１０５）。そして、座標検出部２３は、ステップ１０５において算出した出力電圧の差ΔＸ、ΔＹと、記憶部に記憶されている設定値ＶSとを比較する。ここで、ステップ１０５で算出した出力電圧の差ΔＸ、ΔＹが、共に設定値ＶSよりも小さいときには（ステップ１０６）、座標検出部２３は、Ｘプルダウン値とＸプルアップ値との平均値と、Ｙプルダウン値とＹプルアップ値との平均値とを算出する（ステップ１０７）。尚、ステップ１０６で、ステップ１０５で算出した出力電圧の差ΔＸ、ΔＹが設定値ＶSよりも大きいときには、非接触と判定して、Ｘプルダウン値、Ｘプルアップ値、Ｙプルダウン値及びＹプルアップ値を破棄する（ステップ１０８）。
【００４１】
そして、座標検出部２３は、ステップ１０７で算出した平均値に基づいて、押下された点を決定する（ステップ１０９）。以降は、座標検出部２３は、押下された座標が含まれるエリアに関連づけられている所定の制御信号を、この座標検出部２３に接続された各種装置（図示せず）に出力して、接続された各種装置を制御する。
【００４２】
【発明の効果】
以上のように、本発明によれば、押下位置の各軸座標を検出する際、一方の抵抗膜の電極間に一定電圧を加え、かつ、他方の抵抗膜の電極端子を開放すると共に、他方の抵抗膜の一つの電極端子を座標検出端子とし、この端子を抵抗を介してプルアップ、プルダウンし、プルアップ時とプルダウン時の座標検出端子の出力電圧を読み取り、その差が設定値より小さければ出力電圧に基づいて座標を検出し、大きければ座標検出不可とするようにしたから、誤差の大きいときには、その値を用いないようにでき、接触抵抗の影響を受けないタッチパネル装置を提供することができる。
【００４３】
また、本発明によれば、プルアップ時とプルダウン時の前記座標検出端子の出力電圧を読み取り、その差が設定値より小さければ前記プルアップ時の出力電圧と、前記プルダウン時の出力電圧との平均電圧に基づいて、押下位置の座標を検出する。このようにすることで、検出した出力電圧の平均値を用いて座標を検出でき、より接触抵抗の影響を受けない正しい座標値を検出するタッチパネルを提供することができる。
【図面の簡単な説明】
【図１】本発明のタッチパネル装置の概略説明図である。
【図２】本発明のタッチパネル装置の構成図である。
【図３】座標検出部が状態設定部に印加する制御電圧の対応表である。
【図４】本発明のタッチパネル装置の動作を説明するためのフローチャートである。
【図５】タッチパネル装置の原理説明図１である。
【図６】タッチパネル装置の原理説明図２である。
【図７】タッチパネルの原理説明図３である。
【図８】タッチパネルの電気的部分に着目したときの模式図である。
【図９】従来のタッチパネル装置の構成図である。
【図１０】マイコン部が状態設定部に印加する制御電圧の対応表である。
【図１１】タッチパネル装置を押下したときの図である。
【図１２】タッチパネルを押下したときの回路図である。
【符号の説明】
１１    抵抗膜の抵抗Ｒ1
１２    抵抗膜の抵抗Ｒ2
１３    接触抵抗Ｒ3
１４    状態設定部の抵抗
１５    電圧供給端子
１６    Ａ／Ｄポート
２１    タッチパネル
２２    電極状態設定部
２３    座標検出部
２４    プルダウン／プルアップ状態設定部
２５    端子
【図１】
0003977577.tif 000002
【図２】
0003977577.tif 000003
【図３】
0003977577.tif 000004
【図４】
0003977577.tif 000005
【図５】
0003977577.tif 000006
【図６】
0003977577.tif 000007
【図７】
0003977577.tif 000008
【図８】
0003977577.tif 000009
【図９】
0003977577.tif 000010
【図１０】
0003977577.tif 000011
【図１１】
0003977577.tif 000012
【図１２】
0003977577.tif 000013